(57)【要約】【課題】密閉式の貯湯タンクから溢れ出る濯ぎ水を排出する配管を貯湯タンクよりも高い位置に接続する場合であっても、接続先から水等が逆流することを抑制できる洗浄機を提供する。【解決手段】食器洗浄機１は、洗浄室Ａ１に収容された被洗浄物Ｄを洗浄する洗浄機であって、被洗浄物の濯ぎに用いられる濯ぎ水を貯留する貯留部１８Ａと、貯留部において規定水位を超えた濯ぎ水を排出する排出部７１と、を有する、密閉式の貯湯タンク１８と、洗浄室の側面を形成する側面部２Ａと、側面部に接続されており、排出部と洗浄室とを連通する配管７２と、側面部における配管の接続部７３の上方を覆うカバー部６１と、を備え、接続部が貯湯タンクよりも高い位置に設けられている。【選択図】図４
2018102560.tif 000002
【特許請求の範囲】
【請求項１】
洗浄室に収容された被洗浄物を洗浄する洗浄機であって、
前記被洗浄物の濯ぎに用いられる濯ぎ水を貯留する貯留部と、前記貯留部において規定水位を超えた前記濯ぎ水を排出する排出部と、を有する、密閉式の貯湯タンクと、
前記洗浄室の側面を形成する側面部と、
前記側面部に接続されており、前記排出部と前記洗浄室とを連通する配管と、
前記側面部における前記配管の接続部の上方を覆うカバー部と、を備え、
前記接続部が前記貯湯タンクよりも高い位置に設けられている、洗浄機。
【請求項２】
前記洗浄室内において前記被洗浄物を支持すると共に、前記側面部に取り外し自在に固定されている支持部を更に備え、
前記カバー部は、前記支持部に設けられている、請求項１記載の洗浄機。
【請求項３】
前記支持部は、前記側面部に対向する平板状の側方支持部を有しており、
前記接続部は、前記側方支持部の側方に設けられている、請求項２記載の洗浄機。
【請求項４】
前記カバー部は、前記側方支持部から前記側面部に向かって延在している、請求項３記載の洗浄機。
【請求項５】
前記カバー部は、前記側方支持部から前記側面部に向かって上方に傾斜している、請求項４記載の洗浄機。
【請求項６】
前記側方支持部は、前記側面部と隙間を設けるために前記側面部に固定される面状の固定部から所定距離オフセットされており、
前記オフセット方向における前記カバー部の長さは、前記所定距離よりも長い、請求項３〜５の何れか一項記載の洗浄機。
【請求項７】
前記カバー部は、前記支持部から前記側面部に向かって延在し、前記側面部に接触する接触部を有している、請求項４〜６の何れか一項記載の洗浄機。
【請求項８】
前記カバー部は、前記支持部から前記側面部に向かって延在し、前記側面部に面接触する接触部を有している、請求項４〜６の何れか一項記載の洗浄機。
【請求項９】
前記接続部の下方において、前記支持部から前記側面部に向かって延在する下方カバー部を更に備える、請求項２〜８の何れか一項記載の洗浄機。
【発明の詳細な説明】
【技術分野】
【０００１】
本発明は、食器等の被洗浄物の洗浄を行う洗浄機に関する。
【背景技術】
【０００２】
洗浄タンクに貯留された水を洗浄室内に収容された食器に噴射して洗浄を行い、貯湯タンクに貯留された水を食器に噴射して濯ぎを行う食器洗浄機が知られている。例えば、特許文献１には、半密閉式の貯湯タンクから溢れる濯ぎ水を配管を介して排出し、洗浄タンクに回収する洗浄機が開示されている。
【０００３】
上記従来の貯湯タンクは、貯湯タンク内に空気が存在し、且つその貯湯タンク内の空気が外気と連通した状態で供給過多の水が排出口から溢れ出る半密閉式のタンクであるので、洗浄タンクよりも高い位置に設けられている。すなわち、半密閉式の貯湯タンクから溢れ出る濯ぎ水を排出する配管が、貯湯タンクよりも低い位置に接続されている。しかしながら、スペース等の問題から、貯湯タンクを洗浄タンクより高い位置に設けることができず、配管の接続先を貯湯タンクよりも低い位置に設けることができない場合がある。そこで、増えた水が排出口に接したときに排水口を塞ぐようになっており、且つそのときにタンク内が外気と連通していない状態であり、供給過多の水が排水口から押し出される密閉式の貯湯タンクを用いることが考えられる。
【先行技術文献】
【特許文献】
【０００４】
【特許文献１】特開２００２−２５３４６４号公報
【発明の概要】
【発明が解決しようとする課題】
【０００５】
しかしながら、密閉式の貯湯タンクを用いて、貯湯タンクから溢れ出る濯ぎ水を排出する配管の接続先を貯湯タンクよりも高くした場合であっても下記に示す問題がある。すなわち、濯ぎポンプを駆動して貯湯タンクの水を送出した場合には、貯湯タンク内の気圧が一時的に負圧となり、接続先の水等が上記配管内を逆流することがある。
【０００６】
そこで、本発明の目的は、密閉式の貯湯タンクから溢れ出る濯ぎ水を排出する配管を貯湯タンクよりも高い位置に接続する場合であっても、接続先から水等が逆流することを抑制できる洗浄機を提供することにある。
【課題を解決するための手段】
【０００７】
本発明の洗浄機は、洗浄室に収容された被洗浄物を洗浄する洗浄機であって、被洗浄物の濯ぎに用いられる濯ぎ水を貯留する貯留部と、貯留部において規定水位を超えた濯ぎ水を排出する排出部と、を有する、密閉式の貯湯タンクと、前記洗浄室の側面を形成する側面部と、側面部に接続されており、排出部と洗浄室とを連通する配管と、側面部における配管の接続部の上方を覆うカバー部と、を備え、接続部が貯湯タンクよりも高い位置に設けられている。
【０００８】
この構成の洗浄機では、接続部の上方部分がカバー部により覆われるので、接続部の上方部分から洗浄水又は濯ぎ水が配管に浸入することを抑制することができる。したがって、密閉式の貯湯タンクから溢れ出る濯ぎ水を排出する配管を貯湯タンクよりも高い位置に接続する場合であっても、接続先から水等が逆流することを抑制できる。なお、密閉式のタンクとは、増えた水が排出口に接したときに排水口を塞ぐようになっており、そのときにタンク内が外気と連通していない状態であり、供給過多の水が排水口から押し出されるタンクをいう。
【０００９】
本発明の洗浄機は、洗浄室内において被洗浄物を支持すると共に、側面部に取り外し自在に固定されている支持部を更に備え、カバー部は、支持部に設けられていてもよい。この構成の洗浄機では、筐体の側面から取り外し可能な支持部にカバー部が固定される。これにより、側面部から支持部を取り外す簡易な作業によって、カバー部を取り外すことができる。このため、カバー部の清掃が容易になる。更に、カバー部は、溶接等によって支持部に固定することができるため、カバー部を側面部に直接取り付ける場合に比べて、ビス等の部品点数を低減することができる。
【００１０】
本発明の洗浄機では、支持部は、側面部に対向する平板状の側方支持部を有しており、接続部は、側方支持部の側方に設けられていてもよい。この構成の洗浄機では、接続部の側方部分が側方支持部により覆われるので、接続部の側方部分から洗浄水又は濯ぎ水が配管に浸入することを抑制できる。
【００１１】
本発明の洗浄機では、カバー部は、側方支持部から側面部に向かって延在していてもよい。この構成の洗浄機では、カバー部が支持部に設けられる場合であっても、カバー部を容易に接続部の上方に配置することができる。
【００１２】
本発明の洗浄機では、カバー部は、側方支持部から側面部に向かって上方に傾斜していてもよい。この構成の洗浄機では、カバー部に洗浄水又は濯ぎ水が溜まることを抑制できる。
【００１３】
本発明の洗浄機では、側方支持部は、側面部と隙間を設けるために側面部に固定される面状の固定部から所定距離オフセットされており、オフセット方向におけるカバー部の長さは、所定距離よりも長くてもよい。この構成の洗浄機では、支持部は、カバー部における接触部が側面部を押し付けるように固定されるため、カバー部と側面部との間に隙間が生じにくくなる。これにより、側面部を流れ落ちる洗浄水又は濯ぎ水をカバー部に確実に誘導できるようになり、洗浄水又は濯ぎ水が接続部から配管に浸入することを、より確実に抑制できる。
【００１４】
本発明の洗浄機では、カバー部は、支持部から側面部に向かって延在し、側面部に接触する接触部を有していてもよい。この構成の洗浄機では、側面部を流れ落ちる洗浄水又は濯ぎ水がカバー部に誘導される。これにより、洗浄水又は濯ぎ水が接続部から配管に浸入することを抑制できる。
【００１５】
本発明の洗浄機では、カバー部は、支持部から側面部に向かって延在し、側面部に面接触する接触部を有していてもよい。この構成の洗浄機では、部品の寸法形状のばらつき又は支持部を側面部に固定する時の精度にばらつきがあった場合でも、側面部とカバー部との密着性を維持することができる。これにより、側面部を流れ落ちる洗浄水又は濯ぎ水をカバー部に確実に誘導できるようになり、洗浄水又は濯ぎ水が接続部から配管に浸入することを、より確実に抑制できる。更に、本発明の洗浄機では、カバー部において支持部から側面部に向かって延在する部分の端部が側面部に接触する場合（カバー部と側面部とが点接触する場合）と比べ、互いの接触圧を低減する。この結果、側面部及びカバー部において削れ又はびびり等の劣化の発生を抑制でき、耐久性を向上させることができる。
【００１６】
本発明の洗浄機では、接続部の下方において、支持部から側面部に向かって延在する下方カバー部を更に備えてもよい。この構成の洗浄機では、例えば、洗浄室の下部に配置されるノズル等から噴射される濯ぎ水等が接続部を介して配管に浸入することを抑制できる。
【発明の効果】
【００１７】
本発明によれば、密閉式の貯湯タンクから溢れ出る濯ぎ水を排出する配管を貯湯タンクよりも高い位置に接続する場合であっても、接続先から水等が逆流することを抑制できる。
【図面の簡単な説明】
【００１８】
【図１】一実施形態に係る食器洗浄機の斜視図である。
【図２】一実施形態に係る食器洗浄機の概略構成を示す断面図である。
【図３】図３（Ａ）は、図１に示す食器洗浄機に含まれるラックレールの斜視図であり、図３（Ｂ）は、ラックレールの一部を拡大して示した平面図である。
【図４】図１に示すラックレール及びカバー部近傍をＩＶ−ＩＶ線から見た断面図である。
【図５】変形例１に係る食器洗浄機のラックレール及びカバー部近傍をＩＶ−ＩＶ線から見た断面図である。
【発明を実施するための形態】
【００１９】
以下、図面を参照して一実施形態に係る食器洗浄機（洗浄機）１について説明する。図面の説明において、同一要素には同一符号を付し、重複する説明を省略する。なお、説明の便宜のため、図１において、前後方向、左右方向、及び上下方向をそれぞれ設定した。
【００２０】
図１に示されるように、一実施形態に係る食器洗浄機１は、洗浄室Ａ１の前面にドア４が設けられたアンダーカウンタ式の洗浄機である。図１及び図２に示されるように、食器洗浄機１は、本体部２と、上側洗浄ノズル５と、上側濯ぎノズル６と、下側洗浄ノズル７と、下側濯ぎノズル８と、洗浄タンク９と、貯湯タンク１８と、洗剤供給ポンプ３２と、リンス剤供給ポンプ３７と、を備えている。
【００２１】
本体部２は、ステンレス製のパネルにより形成されている。本体部２は、食器（被洗浄物）Ｄをセットしたラックを出し入れする開口部が前方に向かって開口している洗浄室Ａ１と、洗浄タンク９、貯湯タンク１８、マイクロコンピュータ（以下「マイコン」という）９１等が設けられている機械室Ａ２と、に区画されている。本体部２の底面の四隅には、脚部３が取り付けられている。洗浄室Ａ１の側面は、ステンレス製の側面部２Ａにより形成されている。
【００２２】
本体部２には、洗浄室Ａ１内に食器Ｄを出し入れするためのドア４が取り付けられている。洗浄室Ａ１内には、ラックレール（支持部）５１が設けられ、このラックレール上に、食器Ｄが並べられた食器ラック（図示せず）が載置される。なお、ラックレール５１については、後段にて詳述する。本体部２の前面におけるドア４の上部には、使用者が運転モード又は各種設定を入力するための操作パネル２Ｄが設けられている。
【００２３】
上側洗浄ノズル５及び上側濯ぎノズル６は、洗浄室Ａ１の上部に設けられている。上側洗浄ノズル５は、放射状に延びる３本のアームを含んでおり回転自在に配置されている。上側濯ぎノズル６は、２本のアームを含んでおり回転自在に配置されている。下側洗浄ノズル７及び下側濯ぎノズル８は、洗浄室Ａ１の下部に設けられている。下側洗浄ノズル７は、放射状に延びる３本のアームを含んでおり回転自在に配置されている。下側濯ぎノズル８は、２本のアームを含んでおり回転自在に配置されている。
【００２４】
食器ラックに並べられた食器Ｄには、洗浄工程において上側洗浄ノズル５及び下側洗浄ノズル７によって上下から洗浄水が噴射され、濯ぎ工程において上側濯ぎノズル６及び下側濯ぎノズル８によって上下から濯ぎ水が噴射される。
【００２５】
洗浄タンク９は、洗浄室Ａ１の下方に配置されており、洗浄水を貯留する。洗浄タンク９には、洗浄水の水位を検知するための水位検知スイッチ１０が設けられている。水位検知スイッチ１０は、洗浄タンク９内の水位が所定水位を超えている場合にＯＮとなり、所定水位以下の場合にＯＦＦとなるスイッチである。この水位検知スイッチ１０は、洗浄タンク９のオーバーフロー水位よりも下方、かつ、洗浄水吸込管１３よりも上方に取り付けられている。洗浄ポンプ１４は、駆動中に空気を吸い込むと、いわゆるエア噛みを起こして上側洗浄ノズル５及び下側洗浄ノズル７から洗浄水を噴射できなくなる。一実施形態では、水位検知スイッチ１０が運転中にＯＦＦになったときに食器洗浄機１の運転を停止することで、洗浄ポンプ１４による空気の吸い込みを防止する。
【００２６】
洗浄タンク９内には、洗浄水を所定温度に維持するための洗浄水ヒータ１１Ａと、洗浄水の温度を検知するための洗浄水温度センサ１１Ｂとが設置されている。洗浄水ヒータ１１Ａは、殺菌能力及び洗浄能力を向上させるために洗浄水を加熱する。洗浄水温度センサ１１Ｂは、検知する洗浄水の温度をマイコン９１に出力する。洗浄水ヒータ１１Ａは、マイコン９１によって作動の制御がなされる。マイコン９１は、洗浄水温度センサ１１Ｂが検知する水温に基づいて、洗浄水を所定温度に維持するように洗浄水ヒータ１１Ａの作動を制御する。
【００２７】
洗浄タンク９の側面には、洗浄水吸込管１３を介して洗浄ポンプ１４が接続されている。洗浄タンク９の洗浄水吸込管１３が取り付けられた部分には、ポンプフィルタ１２が設けられている。洗浄ポンプ１４の吐出口には洗浄水吐出管１５が接続されている。洗浄水吐出管１５は、第一洗浄水吐出管１６と第二洗浄水吐出管１７とに分岐している。第一洗浄水吐出管１６は、上側洗浄ノズル５に接続されている。第二洗浄水吐出管１７は、下側洗浄ノズル７に接続されている。
【００２８】
洗浄タンク９には、上下方向に延びるオーバーフローパイプ９Ａが設けられている。オーバーフローパイプ９Ａの上端は、洗浄タンク９の上縁を僅かに超えて洗浄室Ａ１内に位置しており、下端は洗浄タンク９の底面から外へ突出している。洗浄タンク９内の余剰な洗浄水は、オーバーフローパイプ９Ａ上端の流入孔から管内に流れ込んで外部に排出される。オーバーフローパイプ９Ａは、洗浄タンク９に対して取り外し可能に構成されている。使用者がオーバーフローパイプ９Ａを取り外すことで、オーバーフローパイプ９Ａが差し込まれていた排水口が洗浄タンク９の底面に露出し、洗浄タンク９内の洗浄水を完全に排水することができる。
【００２９】
貯湯タンク１８は、食器Ｄを濯ぐ水が貯留される密閉空間の貯留部１８Ａを有するタンクである。貯湯タンク１８は、洗浄タンク９の下方に配置され、機械室Ａ２に配置されている。貯湯タンク１８には、外部の給湯器（図示せず）から給水管２１を介して水が供給される。給水管２１には、ストレーナ１９が設けられている。給水管２１におけるストレーナ１９の下流側には、ウォータバルブ２０が設けられている。ウォータバルブ２０は、マイコン９１によって制御されている。ウォータバルブ２０は、水位センサ２３Ｃにおける水位の検知と連動して弁を開閉し、貯湯タンク１８に貯留される濯ぎ水の水位を一定に維持する。
【００３０】
貯湯タンク１８には、濯ぎ水を所定温度に維持するための濯ぎ水ヒータ２３Ａと、濯ぎ水の温度を検知するための濯ぎ水温度センサ２３Ｂとが設置されている。濯ぎ水ヒータ２３Ａは、殺菌能力を向上させるために濯ぎ水を加熱する。濯ぎ水温度センサ２３Ｂは、検知する濯ぎ水の温度をマイコン９１に出力する。濯ぎ水ヒータ２３Ａは、マイコン９１によって作動の制御がなされる。マイコン９１は、濯ぎ水温度センサ２３Ｂが検知する水温に基づいて、濯ぐ水を所定温度に維持するように濯ぎ水ヒータ２３Ａの作動を制御する。
【００３１】
貯湯タンク１８には、濯ぎ水吸込管２４を介して濯ぎポンプ２５が接続されている。この濯ぎポンプ２５の吐出口には濯ぎ水吐出管２６が接続されている。濯ぎ水吐出管２６は、第一濯ぎ水吐出管２７と第二濯ぎ水吐出管２８とに分岐している。第一濯ぎ水吐出管２７は、上側濯ぎノズル６に接続されている。第二濯ぎ水吐出管２８は、下側濯ぎノズル８に接続されている。
【００３２】
図４に示されるように、貯湯タンク１８には、増えた水が接したとき塞がれるようになっており、貯湯タンク１８内が外気と連通していない状態で供給過多の水が押し出される排出部７１が設けられている。排出部７１は、洗浄室Ａ１の側面である側面部２Ａに接続されている配管７２に接続されている。すなわち、貯湯タンク１８と洗浄室Ａ１とは、配管７２を介して連通している。これにより、貯湯タンク１８において規定水位を超えた濯ぎ水は、配管７２を介して洗浄室Ａ１に排出される。側面部２Ａにおける配管７２の接続部７３は、貯湯タンク１８よりも高い位置に設けられている。側面部２Ａにおける配管７２の接続部７３は、ラックレール５１の側方支持部５３の左側方に設けられている。接続部７３の上方には、接続部７３を覆うカバー部６１が設けられている。カバー部６１は、ラックレール５１に取り付けられている。
【００３３】
ラックレール５１について説明する。ここでは、食器洗浄機１を正面から見たときに、左方に配置されるラックレール５１について説明する。ラックレール５１は、接続部７３の右側方に設けられている。図３（Ａ）及び図３（Ｂ）に示されるように、ラックレール５１は、側方支持部５３と、固定部５３Ａと、下面支持部５５と、前面部５５Ｂと、後面部５５Ｃと、第一端部５７と、第二端部５９と、を有している。ラックレール５１は、ステンレス鋼板等の材料から形成されており、プレス加工によって側方支持部５３と、固定部５３Ａと、下面支持部５５と、前面部５５Ｂと、後面部５５Ｃと、第一端部５７と、第二端部５９と、が形成されている。
【００３４】
ラックレール５１は、ビス等によって側面部２Ａに二つの固定部５３Ａ，５３Ａを固定し、前面部５５Ｂを本体部２の前面パネル及び後面部５５Ｃを本体部２の後面パネルに接触させた状態で洗浄室Ａ１に固定されている。
【００３５】
側方支持部５３は、側面部２Ａに対向するように配置され、前後方向に延在する平板状の部材である。側方支持部５３は、テーパ部５３Ｂを介して固定部５３Ａから右方向に所定距離オフセットしている。すなわち、図３（Ｂ）に示されるように、側方支持部５３は、側面部２Ａと隙間を設けるために側面部２Ａに固定される面状の固定部５３Ａから所定距離Ｄ１オフセットされている。これにより、側方支持部５３は、側面部２Ａと隙間をあけて配置される。側方支持部５３の上端には、第一端部５７が形成されている。図４に示されるように、第一端部５７は、側方支持部５３の上端から左斜め上方に曲がっている。なお、第一端部５７は、ラックの出し入れの際の引っ掛かり防止及び強度向上のために設けられている。
【００３６】
図３（Ａ）に戻り、下面支持部５５は、被洗浄物を収容するラック（図示せず）の下面を支持する部分であり、前後方向に延在している。下面支持部５５には、複数の貫通孔５５ａが形成されており、洗浄水又は濯ぎ水が溜まることを抑制している。下面支持部５５の右端には、第二端部５９が形成されている。図４に示されるように、第二端部５９は、下面支持部５５の右端から右斜め下方に曲がっている。なお、第二端部５９は、ラックの出し入れの際の引っ掛かり防止及び強度向上のために設けられている。
【００３７】
図４に示されるように、カバー部６１は、接触部６３と、上方カバー部６５と、取付面６７と、下方カバー部６９と、を有している。カバー部６１は、ステンレス鋼板等の材料から形成されており、プレス加工によって、接触部６３と、上方カバー部６５と、取付面６７と、下方カバー部６９と、が形成されている。図３（Ｂ）に示されるように、左右方向（オフセット方向）におけるカバー部６１の長さＤ２は、所定距離Ｄ１よりも長い。
【００３８】
接触部６３は、側面部２Ａと面接触する部分であり、平板状に形成されている。上方カバー部６５は、ラックレール５１から側面部２Ａに向かって延在している部分であり、接続部７３の上方を覆っている。上方カバー部６５は、ラックレール５１から側面部２Ａに向かって上方に傾斜している。取付面６７は、ラックレール５１の側方支持部５３に取り付けられる部分であり、平板状に形成されている。取付面６７は、溶接等によって側方支持部５３に固定される。下方カバー部６９は、接続部７３の下方において、ラックレール５１から側面部２Ａに向かって延在する部分である。下方カバー部６９は、ラックレール５１から側面部２Ａに向かって下方に傾斜している。
【００３９】
洗剤供給ポンプ３２は、食器洗浄機１の外側、すなわち、本体部２の外側に配置されている。洗剤供給ポンプ３２は、洗剤タンク３３内に貯留された洗剤を洗浄室Ａ１に供給するためのベローズポンプである。洗剤供給ポンプ３２は、洗浄室Ａ１の側壁に接続された洗剤吐出管３４と接続され、信号線によりマイコン９１に接続されている。洗剤供給ポンプ３２は、マイコン９１から出力される信号に応じて動作し、接続された洗剤吸込管３５から洗剤タンク３３内の洗剤を吸い込み、洗剤吐出管３４へ所定量の洗剤を吐出する。この洗剤は、洗剤吐出管３４の先端に設けられ、洗浄室Ａ１と洗剤吐出管３４とを接続する洗剤吐出口３６から洗浄室Ａ１内に吐出される。洗浄室Ａ１内に吐出された洗剤は、洗浄室Ａ１の下方の洗浄タンク９内に流れ込み洗浄水と混入される。
【００４０】
リンス剤供給ポンプ３７は、食器洗浄機１の外側、すなわち、本体部２の外側に配置されている。リンス剤供給ポンプ３７は、リンス剤タンク３８内に貯留されたリンス剤を濯ぎ水路に供給するためのものである。リンス剤供給ポンプ３７は、第一濯ぎ水吐出管２７と連通するリンス剤吐出管３９に接続され、信号線によりマイコン９１に接続されている。リンス剤供給ポンプ３７は、マイコン９１から出力される信号に応じて動作し、接続されたリンス剤吸込管４０からリンス剤タンク３８内の洗剤を吸い込み、リンス剤吐出管３９へリンス剤を吐出する。リンス剤は、リンス剤供給ポンプ３７によってリンス剤吐出管３９から濯ぎ水吐出管２６内の濯ぎ水路へ吐出され、濯ぎ水に混入される。
【００４１】
マイコン９１は、機械室Ａ２に配置されている。マイコン９１は、食器洗浄機１における動作全般を制御する。マイコン９１は、電装ボックス９０に内蔵されている。マイコン９１は、集積回路に実装されたコンピュータシステムあるいはプロセッサである。マイコン９１は、食器洗浄機１における各種動作を制御する部分であり、ＣＰＵ（Central  Processing  Unit）、ＲＯＭ（Read  Only  Memory）、ＲＡＭ（Random  Access  Memory）等、相互に接続されている。
【００４２】
洗浄運転について説明する。食器Ｄの洗浄は、洗浄タンク９内の洗浄水を洗浄室Ａ１内に供給することにより行われる。洗浄ポンプ１４が作動することにより、洗浄タンク９内に貯留された洗浄水は、洗浄水吐出管１５等を介して上側洗浄ノズル５及び下側洗浄ノズル７に圧送されて、上側洗浄ノズル５及び下側洗浄ノズル７のそれぞれから洗浄室Ａ１内の食器Ｄに向けて噴射される。この洗浄室Ａ１内に噴射された洗浄水は、食器Ｄから洗い落とされた残菜等が図示しないフィルタによって取り除かれつつ洗浄タンク９内に回収される。さらに、ポンプフィルタ１２等を介して洗浄ポンプ１４によって洗浄タンク９内の水が取り込まれ、再び洗浄室Ａ１内に供給される。上述の洗浄工程が所定時間行われると、マイコン９１は、洗浄ポンプ１４を停止させる。
【００４３】
次に、マイコン９１は、濯ぎポンプ２５を始動させ、食器Ｄの濯ぎを開始させる。食器Ｄの濯ぎは、貯湯タンク１８の濯ぎ水を洗浄室Ａ１内に供給することにより行われる。濯ぎポンプ２５が作動することにより、貯湯タンク１８に貯留された濯ぎ水は、第一濯ぎ水吐出管２７及び第二濯ぎ水吐出管２８を介して上側濯ぎノズル６及び下側濯ぎノズル８に圧送されて、上側濯ぎノズル６及び下側濯ぎノズル８のそれぞれから食器Ｄに向けて噴射される。このとき、上側濯ぎノズル６及び下側濯ぎノズル８も噴射力の反力によってそれぞれ回転し続けるため、濯ぎ水が食器Ｄに満遍なく当てられて、食器Ｄの濯ぎが効率良く行われる。濯ぎ工程では、リンス剤がリンス剤供給ポンプ３７によって供給される。
【００４４】
食器Ｄに噴射された濯ぎ水は、洗浄タンク９内に回収されて洗浄水と混ざり合い、次回の洗浄工程における洗浄水として使用される。洗浄タンク９内の余剰な洗浄水は、オーバーフローパイプ９Ａから外部に排出される。このような濯ぎ工程が所定時間行われると、マイコン９１は、濯ぎポンプ２５を停止させ、食器洗浄機１における洗浄運転の１サイクルの動作が完了する。
【００４５】
このような一連のサイクルの中で、濯ぎポンプ２５が作動し、貯湯タンク１８から洗浄室Ａ１に濯ぎ水が供給されると、貯湯タンク１８の内部が負圧になる場合がある。このとき、配管７２の接続部７３は濯ぎ水等を吸引し易く、洗浄室Ａ１内の濯ぎ水等が配管７２を介して貯湯タンク１８に逆流し易い状態となる。上記実施形態の食器洗浄機１では、配管７２の接続部７３の上方にカバー部６１が設けられている。このため、上側濯ぎノズル６から噴射される濯ぎ水が側面部２Ａを流れてきたとしても、当該濯ぎ水は、カバー部６１に誘導され、接続部７３に到達することはない。したがって、濯ぎ水が配管７２を逆流することもない。
【００４６】
次に、上記実施形態の食器洗浄機１の作用効果について説明する。図４に示されるように、上記実施形態の食器洗浄機１では、接続部７３の上方部分がカバー部６１により覆われるので、接続部７３の上方部分から洗浄水又は濯ぎ水が配管７２に浸入することを抑制することができる。したがって、密閉式の貯湯タンク１８から溢れ出る濯ぎ水を排出する配管７２を貯湯タンク１８よりも高い位置に接続する場合であっても、接続先の洗浄室Ａ１から洗浄水又は濯ぎ水が逆流することを抑制できる。また、洗浄時の残飯等が接続部７３に浸入することを抑制できるので、配管７２の詰まりも抑制できる。
【００４７】
上記実施形態の食器洗浄機１のカバー部６１は、図３（Ａ）に示されるように、側面部２Ａに対し取り外し自在に固定されているラックレール５１に設けられているので、側面部２Ａからラックレール５１を取り外す簡易な作業によって、カバー部６１を取り外すことができる。このため、カバー部６１の清掃が容易になる。更に、カバー部６１は、溶接等によってラックレール５１に固定することができるため、カバー部６１を側面部２Ａに直接取り付ける場合に比べて、ビス等の部品点数を削減することができる。
【００４８】
上記実施形態の食器洗浄機１では、図４に示されるように、配管７２の接続部７３は、ラックレール５１の側方支持部５３の側方に設けられているので、接続部７３の側方部分も側方支持部５３により覆われることになる。これにより、接続部７３の側方部分から洗浄水又は濯ぎ水が配管７２に浸入することを抑制することができる。
【００４９】
上記実施形態の食器洗浄機１では、カバー部６１の上方カバー部６５が、ラックレール５１から側面部２Ａに向かって上方に傾斜しているので、上方カバー部６５の上面に洗浄水又は濯ぎ水が溜まることを抑制することができる。同様に、上記実施形態の食器洗浄機１では、カバー部６１の下方カバー部６９が、ラックレール５１から側面部２Ａに向かって下方に傾斜しているので、下方カバー部６９の上面に洗浄水又は濯ぎ水が溜まることを抑制することができる。
【００５０】
上記実施形態の食器洗浄機１のカバー部６１は、側面部２Ａに面接触する接触部６３を有しているので部品の寸法形状のばらつき又はラックレール固定時の固定精度のばらつきがあった場合でも、側面部２Ａとカバー部６１との密着性を維持することができる。これにより、側面部２Ａを流れ落ちる洗浄水又は濯ぎ水をカバー部６１に確実に誘導できるようになり、洗浄水又は濯ぎ水が接続部７３から配管に浸入することを、より確実に抑制することができる。更に、上記実施形態の食器洗浄機１のカバー部６１は、カバー部と側面部とが点接触する場合と比べ、互いの接触圧が低減される。この結果、側面部２Ａ及びカバー部６１において削れ又はびびり等による劣化を抑制でき、耐久性を向上させることができる。
【００５１】
上記実施形態の食器洗浄機１では、側方支持部５３は、側面部と隙間を設けるために側面部２Ａに固定される面状の固定部５３Ａから所定距離Ｄ１オフセットされており、オフセット方向におけるカバー部６１の長さＤ２は、所定距離Ｄ１よりも長い。この構成の食器洗浄機１では、カバー部６１における接触部６３が側面部２Ａを押し付けるように固定されるため、カバー部６１と側面部２Ａとの間に隙間が生じにくくなる。これにより、側面部２Ａを流れ落ちる洗浄水又は濯ぎ水をカバー部６１に確実に誘導できるようになり、洗浄水又は濯ぎ水が接続部７３から配管７２に浸入することを、より確実に抑制することができる。
【００５２】
上記実施形態の食器洗浄機１では下方カバー部６９が設けられているので、洗浄室Ａ１の下部に配置される下側濯ぎノズル８等から噴射される濯ぎ水等が接続部７３を介して配管７２に浸入することを抑制することができる。
【００５３】
以上、一実施形態について説明したが、本発明は、上記実施形態に限られるものではなく、発明の趣旨を逸脱しない範囲で種々の変形が可能である。
【００５４】
＜変形例１＞
上記実施形態では、カバー部６１が接触部６３を有しており、側面部２Ａに対して面接触させている例を挙げて説明したが、本発明はこれに限定されない。例えば、図５に示されるように、カバー部１６１の上方カバー部６５の端部６５ａを側面部２Ａに点接触させてもよい。この場合であっても、接続部７３の上方部分がカバー部６１により覆われ、かつカバー部６１が側面部２Ａに接触しているので、上側濯ぎノズル６から噴射される濯ぎ水が側面部２Ａを流れてきたとしても、当該濯ぎ水は、カバー部６１に誘導され、接続部７３に到達することはない。これにより、接続部７３の上方部分から洗浄水又は濯ぎ水が配管７２に浸入することを抑制することができる。また、上方カバー部６５は、ラックレール５１から側面部２Ａに向かって上方に傾斜していてもよい。
【００５５】
＜その他の変形例＞
上記実施形態又は変形例のカバー部６１では、下方カバー部６９を有する例を挙げて説明したが、下方カバー部６９がない構成であってもよい。また、下方カバー部６９を有する場合であっても、ラックレール５１から側面部２Ａに向かって下方に傾斜していなくてもよい。
【００５６】
上記実施形態又は変形例の食器洗浄機１では、カバー部６１がラックレール５１に設けられている例を挙げて説明したが、これに限定されず、例えば、側面部２Ａに接続部７３の上方を覆うカバー部が設けられる構成であってもよい。
【００５７】
上記実施形態及び変形例は、上述したようなオーブンのように洗浄機本体の前面側にドアが設けられたタイプの食器洗浄機１に適用するだけでなく、例えば、ドアが上下に開閉するタイプの食器洗浄機等にも適用することができる。
【００５８】
本願発明は、上記実施形態及びその他の変形例を適宜組み合わせてもよい。
【符号の説明】
【００５９】
１…食器洗浄機（洗浄機）、２…本体部、２Ａ…側面部、１８…貯湯タンク、５１…ラックレール（支持部）、５３…側方支持部、５３Ａ…固定部、５５…下面支持部、５５ａ…貫通孔、６１，１６１…カバー部、６３…接触部、６５…上方カバー部、６７…取付面、６９…下方カバー部、７１…排出部、７２…配管、７３…接続部、１６１…カバー部、Ａ１…洗浄室、Ａ２…機械室、Ｄ…食器（被洗浄物）。
【図１】
2018102560.tif 000003
【図２】
2018102560.tif 000004
【図３】
2018102560.tif 000005
【図４】
2018102560.tif 000006
【図５】
2018102560.tif 000007